(57)【要約】【課題】特別な締付具を必要とすることなく締め付け操作が容易で、フランジ部の径に合わせて調節が可能な、安価なクランプ継手を提供する。【解決手段】クランプバンド１と結束バンド２１とからなり、前記クランプバンドは内側にフランジ嵌入部４を備え、外側に結束バンド導路５を備えた複数個の弧状のバンド部２が可撓性連結部３により連結され、前記クランプバンド１の端部のバンド部２（２ａ）に前記結束バンド挿入部６が設けられている。【選択図】図２０
2006226303.tif 000002
【特許請求の範囲】
【請求項１】
クランプバンドと結束バンドとからなり、前記クランプバンドは内側にフランジ嵌入部を備え、外側に結束バンド導路を備えた複数個の弧状のバンド部が可撓性連結部により連結されていることを特徴とするクランプ継手。
【請求項２】
フランジ嵌入部が内部から開口部に向かって拡大するテーパーを有する凹状からなる請求項１記載のクランプ継手。
【請求項３】
結束バンド導路が凹状からなる請求項１又は２記載のクランプ継手。
【請求項４】
結束バンド導路に結束バンド押え部を設けた請求項１〜３のいずれか１項に記載のクランプ継手。
【請求項５】
可撓性連結部がフィルム状からなる請求項１〜４のいずれか１項に記載のクランプ継手。
【請求項６】
可撓性連結部が紐状からなる請求項１〜４のいずれか１項に記載のクランプ継手。
【請求項７】
クランプバンドの端部のバンド部に前記結束バンド挿入部が設けられている請求項１〜６のいずれか１項に記載のクランプ継手。
【請求項８】
合成樹脂からなる請求項１〜７のいずれか１項に記載のクランプ継手。
【請求項９】
クランプバンドと結束バンドとからなり、前記クランプバンドは内側にフランジ嵌入部を備え、外側に結束バンド導路を備えた複数個の弧状のバンド部が可撓性連結部により連結されているクランプ継手を用いてフランジ部を接続する方法であって、１対のフランジ部をバンド部の内側のフランジ嵌入部に嵌め込み、クランプバンドの端部のバンド部の結束バンド挿入部より結束バンドを挿入し、結束バンド導路に沿って巻回し緊締・結束することを特徴とするフランジ部の接続方法。
【請求項１０】
バンド部をフランジ部のサイズに合わせて切除して調節する請求項９記載の接続方法。
【発明の詳細な説明】
【技術分野】
【０００１】
本発明は、クランプ継手及び該継手を用いたフランジ部の接続方法に関し、更に詳しくは、特別な締付具を必要とすることなく締め付け操作が容易で、フランジ部の径に合わせて調節が可能な、安価なクランプ継手及び該継手を用いたフランジ部の接続方法に関する。
【背景技術】
【０００２】
従来、この種のクランプの継手としては各種のものが提案され、例えば、２つの配管の突き合せ部外周に複数のクランプバンドを嵌め込み、該複数のクランプバンドのリブ部を締め付けることによって、該２つの配管を接続するクランプ継手において、該複数のクランプバンドには互いに該配管の長手方向に重なり合うリブ部がそれぞれ形成され、該複数のクランプバンドの各リブ部が、該配管の長手方向から締め付けられることを特徴とするクランプ継手が提案されている（例えば、特許文献１参照）。
【０００３】
また、２つのパイプにそれぞれ設けられた略同一外形のフランジを当接し、当接したフランジに嵌合して各パイプを連結する連結クランプにおいて、前記フランジの外径に対応した内径を有する円筒面状のバンド板と、このバンド板の両側から中心に向って設けられ、前記当接したフランジの幅を有する側壁と、この側壁に略垂直方向で外側に向って設けられた複数のガイドと、を有することを特徴とするパイプの連結クランプが提案されている（例えば、特許文献２参照）。
【特許文献１】特開平８−１４４５４号公報（図１、図２、図４）。
【特許文献２】実開平７−８６８４号公報（図１、図２、図４、図５）。
【発明の開示】
【発明が解決しようとする課題】
【０００４】
しかしながら、これらはいずれも一定の径からなるため、径の異なるフランジ部の接続には対応できず、従って、径の異なるフランジの種類だけ継手を準備する必要があり、高コストとなるばかりでなく、在庫管理も煩雑とならざるを得ない。
【０００５】
また、これらはいずれもボルトとナットを用いて締め付けるため、特別な締め付け工具を必要とし、締め付け作業も面倒である。
【０００６】
更に、これらはいずれも金属製でないと十分な目的を達成できないと思われ、従って高コストとなり、例えば使い捨ての用途には適していない。また、重量も大きくなる。
【０００７】
本発明はかかる実情に鑑み、上記従来技術の問題点を解消し、フランジ部の径が変わっても対応でき、特別な締め付け工具を必要とすることなく容易に締め付けが可能で、合成樹脂製で十分な目的が達成されるため使い捨ても可能な、安価なクランプ継手及び該継手を用いた接続方法を提供するものである。
【課題を解決するための手段】
【０００８】
本発明は上記目的を仕手達成するためになされたもので、本発明の請求項１に係る発明は、クランプバンドと結束バンドとからなり、前記クランプバンドは内側にフランジ嵌入部を備え、外側に結束バンド導路を備えた複数個の弧状のバンド部が可撓性連結部により連結されていることを特徴とするクランプ継手を内容とする。
【０００９】
本発明の請求項２に係る発明は、フランジ嵌入部が内部から開口部に向かって拡大するテーパーを有する凹状からなる請求項１記載のクランプ継手を内容とする。
【００１０】
本発明の請求項３に係る発明は、結束バンド導路が凹状からなる請求項１又は２記載のクランプ継手を内容とする。
【００１１】
本発明の請求項４に係る発明は、結束バンド導路に結束バンド押え部を設けた請求項１〜３のいずれか１項に記載のクランプ継手を内容とする。
【００１２】
本発明の請求項５に係る発明は、可撓性連結部がフィルム状からなる請求項１〜４のいずれか１項に記載のクランプ継手を内容とする。
【００１３】
本発明の請求項６に係る発明は、可撓性連結部が紐状からなる請求項１〜４のいずれか１項に記載のクランプ継手を内容とする。
【００１４】
本発明の請求項７に係る発明は、クランプバンドの端部のバンド部に前記結束バンド挿入部が設けられている請求項１〜６のいずれか１項に記載のクランプ継手を内容とする。
【００１５】
本発明の請求項８に係る発明は、合成樹脂からなる請求項１〜７のいずれか１項に記載のクランプ継手を内容とする。
【００１６】
本発明の請求項９に係る発明は、クランプバンドと結束バンドとからなり、前記クランプバンドは内側にフランジ嵌入部を備え、外側に結束バンド導路を備えた複数個の弧状のバンド部が可撓性連結部により連結されているクランプ継手を用いてフランジ部を接続する方法であって、１対のフランジ部をバンド部の内側のフランジ嵌入部に嵌め込み、クランプバンドの端部のバンド部の結束バンド挿入部より結束バンドを挿入し、結束バンド導路に沿って巻回し緊締・結束することを特徴とするフランジ部の接続方法を内容とする。
【００１７】
本発明の請求項１０に係る発明は、バンド部をフランジ部のサイズに合わせて切除して調節する請求項９記載の接続方法を内容とする。
【発明の効果】
【００１８】
本発明のクランプ継手はクランプバンドと結束バンドとからなり、前記クランプバンドは内側にフランジ嵌入部を備え、外側に結束バンド導路を備えた複数個の弧状のバンド部が可撓性連結部により連結され、前記クランプバンドの端部のバンド部に前記結束バンド挿入部が設けられていることを特徴とする。
従って、バンド部の内側のフランジ嵌入部に１対のフランジ部を嵌め込み、端部のバンド部の結束バンド挿入口より結束バンドを挿入して結束バンド導路に沿って巻回し緊締・結束することにより、特別な締め付け工具を必要とすることなく簡単に締め付けができ、容易にフランジ部を接続することができる。
【００１９】
また、本発明のクランプバンドは複数個のバンドを可撓性連結部により連結してなるため、長目のクランプバンドを準備しておけば、フランジ部の径に合わせて可撓性連結部で切断して所望の長さとすることができるので、フランジ部の径に合わせて多くのクランプバンドを準備する必要がない。従って、製造コストが大巾に低減されるとともに、在庫管理も容易である。
【００２０】
本発明のクランプ継手は合成樹脂製のもので目的が十分に達成されるので軽量且つ安価であり、使い捨ての用途にも適している。
【発明を実施するための最良の形態】
【００２１】
本発明のクランプ継手は、クランプバンドと結束バンドとからなり、前記クランプバンドは内側にフランジ嵌入部を備え、外側に結束バンド導路を備えた複数個の弧状のバンド部が可撓性連結部により連結されていることを特徴とする。
【００２２】
クランプバンドは複数個の弧状のバンド部が可撓性連結部により連結されており、前記バンド部は内側にフランジ嵌入部を備え、外側に結束バンド導路を備えている。
【００２３】
バント部の内側のフランジ嵌入部は、接続される１対のフランジ部を嵌め込み嵌着するためのもので、内部から開口部に向かって拡大するテーパーを有する凹状に形成することにより、フランジ部を嵌め込み易く、また、フランジ部の厚みが多少変動してもテーパー状部で確実に当接し、締め付けることができる。
【００２４】
バンド部の外側の結束バンド導路は、結束バンドを誘導し、巻回するためのもので、結束バンドの巾よりも僅かに大き目の凹状からなるものが、結束バンドを巻回し易く、また成形が容易である点で好ましい。また、凹状の開口端部に結束バンドが導路から離脱しないように押え部を設けることが好ましい。
このような押え部は、例えば、（ａ）凹状の開口端部の両側から短い押え棒を内側に向けて延設したり、（ｂ）両側に押え棒を架け渡したり、（ｃ）凹状の開口端部をフィルム（シート）で覆うことにより設けることができる。これらのうちで、（ａ）では押え棒の下を滑り込ませることは勿論、押え棒の上方からでも結束バンドの可撓性、変形性を利用して結束バンドを導路に巻回できるのに対し、（ｂ）、（ｃ）では押え棒やフィルム（シート）の下を滑り込ませることにより巻回する方法に限られるので、（ａ）による押え部が望ましい。
【００２５】
バンド部の大きさは特に制限されず、接続されるフランジ部のサイズに応じ適宜決定すればよく、また連結する個数もフランジ部のサイズに応じ適宜決定すればよいが、通常、取り扱い性の面から２〜１０個程度が好ましい。また、フランジ部の径に応じて調節、対応させる場合は、３〜１０個程度、好ましくは３〜７個程度とし、フランジ部の径に合わせて適宜バンド部を切除して所望の径とするのが望ましい。
バンド部の弧状もフランジ部の曲率に応じて適宜決定すればよい。尚、フランジ部の径に合わせてバンド部を切除する場合は、弧状の曲率が少し変化することになるが、緊締・結束するには殆ど影響がない。
【００２６】
バンド部は可撓性連結部により連結されクランプバンドを形成する。可撓性連結部はバンド部を連結してクランプバンドを形成すればよく、フィルム（シート）状、紐状のものが好ましい。
【００２７】
クランプバンドの端部のバンド部には、必要に応じ、結束バンド挿入部が設けられる。結束バンド挿入部は、例えば、結束バンドを先端のガイド片から挿通させる挿通口及び結束バンドの他端の係合部を備えた受部を受け止める受容部とから構成される。
【００２８】
クランプバンドの素材は特に制限されず、例えば、ステンレス等の金属、ポリエチレン、ポリプロピレン等のポリオレフィン樹脂、ポリ塩化ビニル樹脂、ポリアミド樹脂、ポリエステル樹脂等の合成樹脂等が挙げられるが、成形が容易で、軽量性に富み、安価である点で合成樹脂が好ましい。
一方、結束バンドは合成樹脂からなり、一方の表面に係止用の爪（ラチェット）が複数並設され、一端に内部前記した爪と掛合することにより抜け止めを図る係合部を備えた受部が一体に設けられ、他端には該受部に挿通されるガイド片が設けられたものが好適に用いられ、市販品としては、例えばタイラップ（商品名：トーマスアンドベッツインターナショナルインク社製）、インシュロック（商品名：タイトン社製）等が挙げられる。
【００２９】
クランプバンドと結束バンドとからなる本発明のクランプ継手を用いてフランジ部を接続するには、接続される１対のフランジ部（通常、フランジ部間にはガスケットが介装される）をバンド部のフランジ嵌入部に嵌入させた後、端部のバンド部の結束バンド挿入部より結束バンドをガイド片から挿入し、各バンド部の結束バンド導路に沿って巻回し、緊締・結束することによりなされる。
【００３０】
尚、本発明において、接続されるフランジ部とは、パイプ等のフランジの他、サニタリー、ＵＦやＭＦを利用した医薬品・食品の製造・精製モジュール、超純水や注射用水の精製モジュール、上水製造・工業用水・下廃水の処理ためのモジュール、限外濾過、精密濾過のためのモジュール、人工腎臓等医療機器等のフランジ、輪金（フェルール）等が含まれる。
【実施例】
【００３１】
実施例１
図１〜図６はクランプバンドの一例を示すもので、図１は正面図、図２は上面図、図３は下面図、図４は図２におけるＸ−Ｘ断面図、図５は同Ｙ−Ｙ断面図、図６は同Ｚ−Ｚ断面図である。
【００３２】
これらの図に示すように、本実施例のクランプバンド１はポリプロピレン樹脂からなる複数個（図では４個）の弧状のバンド部２が２本の紐状からなる可撓性連結部３により連結されている。
バンド部２は内側（図では下側）には内部から開口部に向かって拡大するテーパーを有する凹状からなるフランジ嵌入部４が設けられ（図６参照）、一方、外側（図では上側）には凹状の結束バンド導路５が設けられている。
【００３３】
クランプバンド１を構成するバンド部２の端部のバンド部２（２ａ）には、結束バンド挿入部６が設けられ、該結束バンド挿入部６は結束バンド２１を先端のガイド片２２から挿通させる挿通口７及び結束バンド２１の他端の係合部を備えた受部２３を受け止めるための受容部８とから構成されている。
【００３４】
本実施例のクランプバンド１を構成するバンド部２は、軽量性と樹脂量を節減するために、内側のフランジ嵌入部４及び外側の結束バンド導路５を形成する両側の壁部は略中央に補強桟を有する中空体で構成されている。
【００３５】
実施例２
図７、図８はクランプバンドの他の例を示すもので、図７は上面図、図８は図７のＺ−Ｚ断面図である。
これらの図に示すように、本実施例のクランプバンド１は、各バンド部２の結束バンド導路５の長手方向の略中央部に、凹状の開口端部の両側から短い押え棒を内側に向けて突設した結束バンド押え部９が形成されている。この結束バンド押え部９により、結束バンドが結束バンド導路５から離脱するのが防止され、結束バンドの巻回・緊締の作業性が高められる。
【００３６】
実施例３
図９、図１０はクランプバンドの他の例を示すもので、図９は上面図、図１０は図９のＺ−Ｚ断面図である。
これらの図に示すように、本実施例のクランプバンド１は、バンド部２のフランジ嵌入部４及び結束バンド導路５を形成する両側の壁部が中実体で構成されている他は実施例１の場合と同じである。
【００３７】
実施例４
図１１、図１２はクランプバンドの他の例を示すもので、図１１は上面図、図１２は図１１のＸ−Ｘ断面図である。
これらの図に示すように、本実施例のクランプバンド１はバンド部が薄いフィルム状の可撓性連結部３により連結されている他は実施例１の場合と同じである。
【００３８】
実施例５
図１３〜図１６はクランプバンドの他の例を示すもので、図１３は正面図、図１４は上面図、図１５は図１４のＸ−Ｘ断面図、図１６は図１４のＺ−Ｚ断面図である。
【００３９】
これらの図に示すように、本実施例のクランプバンドは２個のバンド部２が可撓性連結部３により連結され、バンド部２の内側にはフランジ嵌入部４が、また外側には結束バンド導路５が設けられ、更に、一つのバンド部２（２ａ）に結束バンド挿入部６及び挿通口７が設けられている。
【００４０】
可撓性連結部３はシート状で、その両面には可撓性を増加させるために小溝１０が刻設されている。
本実施例の場合は、フランジ部の径に合わせてバンド部を切除して径を調節することはないので、予め所定のフランジ部の径に合わせてバンド部２のフランジ嵌入部４の曲率を設定しておくのがよい。
【００４１】
実施例６
図１７〜図１９は、クランプバンドを構成するバンド部を切除して径を変化させる状態を示すもので、図１７のクランプバンド１は７個のバンド部２を可撓性連結部３で連結してなるのに対し、図１８は、図１７における一端のバンド部２（２ｂ）を可撓性連結部３（３ｂ）で切除して、６個のバンド部２が可撓性連結部３により連結された径の小さいクランプバンド１とした例であり、更に、図１９は、図１８における一端のバンド部２（２ｃ）を可撓性連結部３（３ｃ）で切除して、４個のバンド部２が可撓性連結部３により連結された更に径の小さいクランプバンド１とした例を示す。
【００４２】
このように、本発明のクランプバンド１は、それを構成するバンド部２の数を減らすことにより、径の小さいフランジ部に対応することができる。
【００４３】
実施例７
図２０は、実施例１に示したクランプバンドを用い、これと結束バンドとを用いてフランジ部を接続する方法の一例を示す。
【００４４】
（ａ）は結束バンド２１で、一方の表面に係止用の爪（ラチェット）２４が複数並設され、一端には内部に上記爪２４と掛合することにより抜け止めを図る係合部２５を備えた受部２３が一体に設けられ、他端には該受部２３に挿通されるガイド片２２が設けられている。
【００４５】
（ｂ）は実施例１に示したクランプバンド１で、（ｃ）は人工臓器に設けられた分枝管２６のフランジ部２７に緩衝用バルーン２８のフレアー部２８ａを当接し、更に、フレアー部２８ａの上から輪金（フェルール）２９を当接した状態を示す。
【００４６】
（ｃ）の分枝管２６のフランジ部２７、バルーン２８のフレアー部２８ａ及び輪金２９の三者を（ｂ）のクランプバンド１を構成するバンド部２のフランジ嵌入部４に嵌め込み、クランプバンド１のバンド部２（２ａ）の結束バンド挿入部６より、結束バンド２１をガイド片２２より挿入し、バンド部２の外側の結束バンド導路５に沿って爪２４を導路５側に向けた状態で巻回させた後、ガイド片２２から受部２３の係合部に挿通して引き締めて緊締・結束し、必要に応じ、受部２３より食み出た余分な部分を切除し、図２１に示すように、分枝管２６のフランジ部２７へのバルーン２８の接続を完了する。
【００４７】
実施例８
図２２は、バルーン２８の代わりに、エンドキャップ３０をガスケット３１を介してフランジ２７に接続する他は実施例７の場合と同様である。
【産業上の利用可能性】
【００４８】
叙上のとおり、本発明のクランプ継手は、クランプバンドと結束バンドとからなり、前記クランプバンドを構成する複数個の弧状のバンド部の内側のフランジ嵌入部に１対のフランジ部を嵌め込み、端部のバンド部の結束バンド挿入口より結束バンドを挿入して結束バンド導路に沿って巻回し、緊締・結束することにより、特別な締め付け工具を必要とすることなく簡単に締め付けができ、容易にフランジ部を接続することができる。
【００４９】
また、本発明のクランプバンドは複数個のバンドを可撓性連結部により連結してなるため、長目のクランプバンドを準備しておけば、フランジ部の径に合わせて可撓性連結部でバンド部を切除して所望の長さ（径）とすることができるので、フランジ部の径に合わせて多くのクランプバンドを準備する必要がない。従って、製造コストが大巾に低減されるとともに、在庫管理も容易である。
【００５０】
本発明のクランプ継手は合成樹脂製のもので目的が十分に達成されるので軽量且つ安価であり、使い捨ての用途にも適している。
【図面の簡単な説明】
【００５１】
【図１】クランプバンドの一例を示す正面図である。
【図２】図１の上面図である。
【図３】図１の下面図である。
【図４】図２のＸ−Ｘ断面図である。
【図５】図２のＹ−Ｙ断面図である。
【図６】図２のＺ−Ｚ断面図である。
【図７】クランプバンドの他の例を示す上面図である。
【図８】図７のＺ−Ｚ断面図である。
【図９】クランプバンドの他の例を示す上面図である。
【図１０】図９のＺ−Ｚ断面図である。
【図１１】クランプバンドの他の例を示す上面図である。
【図１２】図１１のＸ−Ｘ断面図である。
【図１３】クランプバンドの他の例を示す正面図である。
【図１４】図１３の上面図である。
【図１５】図１４のＸ−Ｘ断面図である。
【図１６】図１４のＺ−Ｚ断面図である。
【図１７】７個のバンド部からなるクランプバンドを示す概略図である。
【図１８】６個のバンド部からなるクランプバンドを示す概略図である。
【図１９】５個のバンド部からなるクランプバンドを示す概略図である。
【図２０】クランプバンドと結束バンドとでフランジ部を接続する方法を説明するための斜視図で、（ａ）は結束バンド、（ｂ）はクランプバンド、（ｃ）はフランジ部を示す。
【図２１】クランプバンドと結束バンドとでフランジ部を接続した状態を示す斜視図である。
【図２２】クランプバンドと結束バンドとで他のフランジ部を接続した状態を示す概略断面図である。
【符号の説明】
【００５２】
１  クランプバンド
２、２ａ、２ｂ、２ｃ  バンド部
３、３ｂ、３ｃ  可撓性連結部
４  フランジ嵌入部
５  結束バンド導路
６  結束バンド挿入部
７  挿通口
８  受容部
９  結束バンド押え部
１０  小溝
２１  結束バンド
２２  ガイド片
２３  受部
２４  爪（ラチェット）
２５  係合部
２６  分枝管
２７  フランジ部
２８  バルーン
２８ａ  バルーンのフレアー部
２９  輪金（フェルール）
３０  エンドキャップ
３１  ガスケット
【図１】
2006226303.tif 000003
【図２】
2006226303.tif 000004
【図３】
2006226303.tif 000005
【図４】
2006226303.tif 000006
【図５】
2006226303.tif 000007
【図６】
2006226303.tif 000008
【図７】
2006226303.tif 000009
【図８】
2006226303.tif 000010
【図９】
2006226303.tif 000011
【図１０】
2006226303.tif 000012
【図１１】
2006226303.tif 000013
【図１２】
2006226303.tif 000014
【図１３】
2006226303.tif 000015
【図１４】
2006226303.tif 000016
【図１５】
2006226303.tif 000017
【図１６】
2006226303.tif 000018
【図１７】
2006226303.tif 000019
【図１８】
2006226303.tif 000020
【図１９】
2006226303.tif 000021
【図２０】
2006226303.tif 000022
【図２１】
2006226303.tif 000023
【図２２】
2006226303.tif 000024